(57)【要約】【課題】０％から１００％まで連続的な光出力の変化を求められる演出を行うことができる照明器具を提供する。【解決手段】  照明器具１０は、調光特性の異なる複数の光源１３，１４，１５を有し、閾値の異なる複数の光源１３，１４，１５を用い、各閾値に応じて調光特性の異なる光源１３，１４，１５を点灯させて調光を行う。【選択図】図１
2010009783.tif 000002
【特許請求の範囲】
【請求項１】
調光特性の異なる複数の光源を有する照明器具において、
閾値の異なる前記複数の光源を用い、各閾値に応じて調光特性の異なる当該光源を点灯させて調光を行うことを特徴とする照明器具。
【請求項２】
前記光源は、最低の前記閾値よりも低い調光比のときに点灯するＬＥＤであることを特徴とする請求項１記載の照明器具。
【請求項３】
前記光源は、最高の前記閾値よりも高い調光比のときに点灯する蛍光灯であることを特徴とする請求項１または２記載の照明器具。
【請求項４】
前記閾値は、互いにラップする幅を有し、その幅内では複数の前記光源を点灯することを特徴とする請求項１〜３のいずれか１項記載の照明器具。
【発明の詳細な説明】
【技術分野】
【０００１】
本発明は、住宅、宴会場、ホール等の照明の光を調光制御して空間を演出する照明器具に関する。
【背景技術】
【０００２】
従来の照明器具の一例として、蛍光ランプ本体に、蛍光灯である第１発光部と、発光ダイオードである第２発光部とを備えた照明器具が知られている（例えば、特許文献１参照）。
【特許文献１】特開２００７−２２７３４２号公報（図１、段落番号００２１）
【発明の開示】
【発明が解決しようとする課題】
【０００３】
調光用の照明器具は、単一の光源で使用される。白熱灯の調光は、０〜１００％まで連続的に制御することができるが、白熱灯よりも効率の良いインバーター照明器具では、調光に下限があり０％まで連続的に調光制御できない。また、高出力のＬＥＤ照明器具であっても、連続的な調光制御を行えない。
【０００４】
このように、上記特許文献１に開示された照明器具は、０％から１００％まで連続的な光出力の変化を求められる演出を行うことができない。
【０００５】
本発明は、前述した要望を満たすためになされたもので、その目的は、０％から１００％まで連続的な光出力の変化を求められる演出を行うことができる照明器具を提供することにある。
【課題を解決するための手段】
【０００６】
本発明に係る照明器具は、調光特性の異なる複数の光源を有する照明器具において、閾値の異なる前記複数の光源を用い、各閾値に応じて調光特性の異なる当該光源を点灯させて調光を行うことを特徴とする。
【０００７】
上記発明によれば、複数の異なる閾値を有する光源を選択的に用いて、それら閾値に応じて調光特性の異なる光源を点灯させて調光を行う。
よって、０％から１００％まで連続的な光出力の変化を求められる演出を行うことができる。
【０００８】
また、本発明に係る照明器具は、前記光源は、最低の前記閾値よりも低い調光比のときに点灯するＬＥＤであることを特徴とする。
【０００９】
上記発明によれば、供給電力が光源の最低の閾値よりも低くなったときにＬＥＤを発光させる。
よって、光出力の低い側でＬＥＤを発光させて０％の調光下限までの調光特性を担うことで省電力化を図ることができる。
【００１０】
また、本発明に係る照明器具は、前記光源は、最高の前記閾値よりも高い調光比のときに点灯する蛍光灯であることを特徴とする。
【００１１】
上記発明によれば、供給電力が光源の最高の閾値よりも高い調光比のときに蛍光灯を点灯させる。
よって、光出力の高い側で蛍光灯を点灯させて１００％の調光上限までの調光特性を担うことができる。
【００１２】
また、本発明に係る照明器具は、前記閾値は、互いにラップする幅を有し、その幅内では複数の前記光源を点灯することを特徴とする。
【００１３】
上記発明によれば、複数の光源のうち、高い光出力の閾値を下回ることで、この光源が消灯・消光する前に、低い光出力の閾値を有する光源を点灯・発光させる。
よって、スムースな連続調光を行うことができる。
【発明の効果】
【００１４】
本発明の照明器具によれば、閾値の異なる複数の光源を用い、各閾値に応じて調光特性の異なる光源を点灯させて調光を行う。
これにより、０％から１００％まで連続的な光出力の変化を求められる演出を行うことができるという効果を有する。
【発明を実施するための最良の形態】
【００１５】
以下、本発明の複数の実施形態に係る照明器具について、図面を参照して説明する。
（第１実施形態）
図１に示すように、本発明の第１実施形態の照明器具１０は、制御部１１と、コントローラ１２と、光源である第１のＬＥＤ（発光ダイオード（ｌｉｇｈｔ  Ｅｍｉｎｔｔｉｎｇ  Ｄｉｏｄｅ）１３と、同じく光源である第２のＬＥＤ１４と、同じく光源である第３のＬＥＤ１５と、からなる。
【００１６】
制御部１１は、インバータライトコントローラ等であり、それぞれ不図示の、リレー、トランス、および各種電子素子により構成されており、電源およびコントローラ１２に接続されている。
【００１７】
コントローラ１２は、それぞれ不図示の、オン・オフスイッチ、調光スイッチ等を備えており、第１のＬＥＤ１３と、第２のＬＥＤ１４と、第３のＬＥＤ１５と、に接続されている。
【００１８】
図２に示すように、照明器具１０は、第１のＬＥＤ１３と第２のＬＥＤ１４と第３のＬＥＤ１５とを有する複数の例えば８個の光源ユニット１６を備える。光源ユニット１６は、８個に限らず、必要に応じて８個以下或いは８個以上の複数個設けられても良い。
【００１９】
図３に示すように、第１のＬＥＤ１３は、その発光を第１の閾値Ｖｔｈ１に、その消光を制御部１１により第１の閾値Ｖｔｈ１よりも高い第２の閾値Ｖｔｈ２に設定されている。
【００２０】
第２のＬＥＤ１４は、その発光を第２の閾値Ｖｔｈ２に、その消光を制御部１１により第２の閾値Ｖｔｈ２よりも高い第３の閾値Ｖｔｈ３に設定されている。
【００２１】
第３のＬＥＤ１５は、その発光を第３の閾値Ｖｔｈ３に設定されている。
【００２２】
そして、第１のＬＥＤ１３は光出力の小さいＬＥＤチップを適用しており、第２のＬＥＤ１４は第１のＬＥＤ１３よりも光出力の大きいＬＥＤチップを適用しており、第３のＬＥＤ１５は第２のＬＥＤ１４よりも光出力の大きいＬＥＤチップを適用している。
【００２３】
照明器具１０は、コントローラ１２のオン・オフスイッチがオン切換えされ、調光スイッチが最暗位置から最明位置に向けて切換え操作されると、供給電力が第１の閾値Ｖｔｈ１を超えたところで第１のＬＥＤ１３が発光を始める。このとき、第２のＬＥＤ１４および第３のＬＥＤ１５は発光しない。これにより、図３中の横軸左端部から右方の第１の調光エリアＡ１において光出力の小さい第１のＬＥＤ１３による照射を行う。
【００２４】
調光スイッチが最暗位置から最明位置に向けて操作され続け、供給電力が第２の閾値Ｖｔｈ２を超えたところで第１のＬＥＤ１３が消光され、これに連続して第２のＬＥＤ１４が発光を始める。このとき、第３のＬＥＤ１５は発光しない。これにより、図３中の横軸中央部の第２の調光エリアＡ２において光出力の大きい第２のＬＥＤ１４による照射を行う。
【００２５】
調光スイッチがさらに操作され続け、供給電力が第３の閾値Ｖｔｈ３を超えたところで第２のＬＥＤ１４が消光され、これに連続して第３のＬＥＤ１５が発光を始める。これにより、図３中の中央部から右方の第３の調光エリアＡ３において第２のＬＥＤ１４よりも光出力の大きい第３のＬＥＤ１５による照射を行う。
【００２６】
これとは異なり、コントローラ１２のオン・オフスイッチがオン切換えされている際に、調光スイッチが最明位置から最暗位置に向けて戻り操作されると、供給電力が第３の閾値Ｖｔｈ３を下回るまでは第３のＬＥＤ１５が発光するために、図３中の横軸右端部から左方の第３の調光エリアＡ３において光出力の大きい第３のＬＥＤ１５による照射を行う。
【００２７】
調光スイッチが最明位置から最暗位置に向けて戻り操作され続け、供給電力が第３の閾値Ｖｔｈ３を下回ったところで第３のＬＥＤ１５が消光し、この消光に連続して第２のＬＥＤ１４が発光を始める。これにより、図３中の横軸中央部の第２の調光エリアＡ２において第３のＬＥＤ１５よりも光出力の小さい第２のＬＥＤ１４のみによる照射を行う。
【００２８】
調光スイッチがさらに戻り操作され続け、供給電力が第２の閾値Ｖｔｈ２を下回ったところで第２のＬＥＤ１４が消光し、この消光に連続して第１のＬＥＤ１３が発光を始める。これにより、図３中の中央部から左方の第１の調光エリアＡ１において第２のＬＥＤ１２よりも光出力の小さい第１のＬＥＤ１３のみによる照射を行う。
【００２９】
そして、オン・オフスイッチがオフ切換えされると第１のＬＥＤ１３は消光する。
【００３０】
これにより、図４に示すように、電力の０％から１００％までの上昇に応じて室内全体の照度を連続的に高くしていき、これに反して、電力の１００％から０％までの下降に応じて室内全体の照度を連続的に低くすることができる。
【００３１】
本実施形態の照明器具１０では、複数の異なる閾値Ｖｔｈ１，Ｖｔｈ２，Ｖｔｈ３を有するＬＥＤは１３，１４，１５を用いて、それら閾値Ｖｔｈ１，Ｖｔｈ２，Ｖｔｈ３に応じて調光特性の異なるＬＥＤ１３，１４，１５を発光させて調光を行う。
よって、０％から１００％まで連続的な光出力の変化を求められる演出を行うことができる。
【００３２】
また、照明器具１０では、供給電力が第２の閾値Ｖｔｈ２を下回ったところで第２のＬＥＤ１４が消光し、光出力の最も小さい第１のＬＥＤ１３のみによる照射を行う。
よって、光出力の低い側で第１のＬＥＤ１３を発光させて０％の調光下限までの調光特性を担って省電力化を図ることができる。
【００３３】
（第２実施形態）
次に、図５および図６を参照して本発明の第２実施形態に係る照明器具について説明する。なお、以下の第２実施形態において、上述した第１実施形態と重複する構成要素や機能的に同様な構成要素については、図中に同一符号あるいは相当符号を付することによって説明を簡略化あるいは省略する。
【００３４】
図５に示すように、本発明の第２実施形態である照明器具３０は、第１のＬＥＤ１３と、第２のＬＥＤ１４と、を直線的に整列し、これらＬＥＤ１３，１４に、光源である第１のインバーター蛍光灯３１と、第２のインバーター蛍光灯３２と、を併設した。
【００３５】
図６に示すように、第１のＬＥＤ１３は、その発光を第１の閾値Ｖｔｈ１に、その消光を制御部１１により第１の閾値Ｖｔｈ１よりも高い第２の閾値Ｖｔｈ２に設定されている。
【００３６】
第２のＬＥＤ１４は、その発光を第２の閾値Ｖｔｈ２よりも低い第３の閾値Ｖｔｈ３に、その消光を制御部１１により第２の閾値Ｖｔｈ３よりも高い第４の閾値Ｖｔｈ４に設定されている。
【００３７】
第１、第２のインバーター蛍光灯３１，３２は、その発光を第２の閾値Ｖｔｈ２よりも高く、第４の閾値Ｖｔｈ４よりも低い第５の閾値Ｖｔｈ５に設定されている。そのため、各閾値Ｖｔｈ２，Ｖｔｈ３，Ｖｔｈ４，Ｖｔｈ５は、互いにラップする幅を有する。
【００３８】
そして、第１、第２のインバーター蛍光灯３１，３２は、それらの光出力が第２のＬＥＤ１４よりも大きい。
【００３９】
照明器具３０は、調光スイッチが最暗位置から最明位置に向けて切換え操作されると、供給電力が第１の閾値Ｖｔｈ１を超えたところで第１のＬＥＤ１３が発光を始める。このとき、第２のＬＥＤ１４および第１、第２のインバーター蛍光灯３１，３２は発光・点灯しない。これにより、図６中の第４の調光エリアＡ４において光出力の小さい第１のＬＥＤ１３による照射を行う。
【００４０】
調光スイッチが最暗位置から最明位置に向けて操作され続け、供給電力が第３の閾値Ｖｔｈ３を超えたところで第２のＬＥＤ１４が発光を始める。このとき、第１、第２のインバーター蛍光灯３１，３２は点灯しない。これにより、図６中の第５の調光エリアＡ５において光出力の小さい第１のＬＥＤ１３と光出力の大きい第２のＬＥＤ１４とによる照射を行う。
【００４１】
調光スイッチがさらに操作され続け、供給電力が第２の閾値Ｖｔｈ２を超えたところで第１のＬＥＤ１３が消光される。これにより、図６中の第６の調光エリアＡ６において第２のＬＥＤ１４による照射を行う。
【００４２】
調光スイッチがさらに操作され続け、供給電力が第５の閾値Ｖｔｈ５を超えたところで第１、第２のインバーター蛍光灯３１，３２が点灯を始める。これにより、図６中の第７の調光エリアＡ７において第２のＬＥＤ１４と光出力が最も大きい第１、第２のインバーター蛍光灯３１，３２とによる照射を行う。
【００４３】
調光スイッチがさらに操作され続け、供給電力が第４の閾値Ｖｔｈ４を超えたところで第２のＬＥＤ１４が消光される。これにより、図６中の第８の調光エリアＡ８において光出力が最も大きい第１、第２のインバーター蛍光灯３１，３２による照射を行う。
【００４４】
これとは異なり、調光スイッチが最明位置から最暗位置に向けて戻り操作されると、供給電力が第４の閾値Ｖｔｈ４を下回るまでは第１、第２のインバーター蛍光灯３１，３２による点灯が行われるために、図６中の第８の調光エリアＡ８において光出力の最も大きい第１、第２のインバーター蛍光灯３１，３２による照射を行う。
【００４５】
調光スイッチが最明位置から最暗位置に向けて戻り操作され続け、供給電力が第４の閾値Ｖｔｈ４を下回ったところで第２のＬＥＤ１４が発光を始める。これにより、図６中の第７の調光エリアＡ７において第１、第２のインバーター蛍光灯３１，３２および第２のＬＥＤ１４による照射を行う。
【００４６】
調光スイッチがさらに戻り操作され続け、供給電力が第５の閾値Ｖｔｈ５を下回ったところで第１、第２のインバーター蛍光灯３１，３２が消灯する。これにより、図６中の第６の調光エリアＡ６において第２のＬＥＤ１４のみによる照射を行う。
【００４７】
調光スイッチがさらに戻り操作され続け、供給電力が第２の閾値Ｖｔｈ２を下回ったところで第１のＬＥＤ１３が発光を始める。これにより、図６中の第５の調光エリアＡ５において第２のＬＥＤ１４および第１のＬＥＤ１３による照射を行う。
【００４８】
調光スイッチがさらに戻り操作され続け、供給電力が第３の閾値Ｖｔｈ３を下回ったところで第２のＬＥＤ１４が消光する。これにより、図６中の第４の調光エリアＡ４において第１のＬＥＤ１３のみによる照射を行う。
【００４９】
そして、オン・オフスイッチがオフ切換えされることで第１のＬＥＤ１３は消光する。
【００５０】
このように、電力の０％から１００％までの上昇に応じて室内全体の照度を連続的に高くしていき、これに反して、電力の１００％から０％までの下降に応じて室内全体の照度を連続的に低くすることができる。
【００５１】
本実施形態の照明器具３０では、供給電力が第５の閾値Ｖｔｈ５を上回ったところで第１、第２のインバーター蛍光灯３１，３２を点灯させる。
よって、光出力の高い側で第１、第２のインバーター蛍光灯３１，３２を点灯させて１００％の調光上限までの調光特性を担うことができる。
【００５２】
また、照明器具３０では、第５の閾値Ｖｔｈ５を下回ることで第１、第２のインバーター蛍光灯３１，３２が消灯する前に第２のＬＥＤ１４を発光させ、第３の閾値Ｖｔｈ３を下回ることで第２のＬＥＤ１４が消灯する前に第１のＬＥＤ１３を発光させる。
よって、スムースな連続調光を行うことができる。
【００５３】
なお、前記実施形態で使用した光源ユニット１６は、８個に限らず、必要に応じて８個以下或いは８個以上の複数個設けられても良く、例示したものに限定するものではなく適宜変更が可能である。
【００５４】
また、より細かい調光比を得るために、例えば、パルス波のデューティー比を変化させて変調するパルス幅変調（Pulse Width Modulation(PWM)）を適用することもできる。
【図面の簡単な説明】
【００５５】
【図１】本発明に係る第１実施形態の照明器具のブロック構成図
【図２】本発明に係る第１実施形態の照明器具の光源周りの構成図
【図３】本発明に係る第１実施形態の照明器具の調光比と光出力との関係グラフ
【図４】本発明に係る第１実施形態の照明器具の電力と室内照度との関係グラフ
【図５】本発明に係る第２実施形態の照明器具の光源周りの構成図
【図６】本発明に係る第２実施形態の照明器具の調光比と光出力との関係グラフ
【符号の説明】
【００５６】
１０  照明器具
１３  第１のＬＥＤ（光源）
１４  第２のＬＥＤ（光源）
１５  第３のＬＥＤ（光源）
３０  照明器具
３１  第１のインバーター蛍光灯（光源）
３２  第２のインバーター蛍光灯（光源）
【図１】
2010009783.tif 000003
【図２】
2010009783.tif 000004
【図３】
2010009783.tif 000005
【図４】
2010009783.tif 000006
【図５】
2010009783.tif 000007
【図６】
2010009783.tif 000008